(57)【要約】【課題】広範な種類の用紙の搬送に対しても正確に重送の発生を検知する。【解決手段】給紙装置１０において、光センサ２２は、搬送される用紙に光を照射して用紙を透過した透過光量を検知する。電子制御部２８は、プリセットモードで搬送された用紙において検知された平均透過光量ＬＡＶＥが大きいほど、搬送される用紙に照射される光の照射光量から平均透過光量ＬＡＶＥを引いた値である減少光量で基準マージンを割った値であるマージン率が小さくなるよう、平均透過光量ＬＡＶＥに対し値が低くなる方向に基準マージンを設けた基準透過光量ＬＴＨＲを算出する。電子制御部２８は、連続給紙モードにおいて搬送された用紙において検知された平均透過光量ＬＡＶＥが、算出された基準透過光量ＬＴＨＲより小さい場合に重送が発生したと判定する。【選択図】図１
2009035365.tif 000002
【特許請求の範囲】
【請求項１】
搬送される用紙に光を照射して用紙を透過した透過光量を検知する光センサと、
重送の発生の判定に用いられる基準透過光量を得るために搬送される用紙において検知された透過光量である第１透過光量に対し値が低くなる方向に基準マージンを設けた基準透過光量を算出する基準値演算部と、
検知された用紙の透過光量と算出された基準透過光量とを比較することにより、搬送される用紙に重送が発生したか否かを判定する重送判定部と、
を備え、
前記基準値演算部は、第１透過光量が大きいほど、搬送される用紙に照射される光の照射光量から第１透過光量を引いた値である減少光量で基準マージンを割った値であるマージン率が小さくなるよう基準透過光量を算出することを特徴とする重送検知装置。
【請求項２】
前記基準値演算部は、第１透過光量を利用した指数演算または対数演算を実施することにより、第１透過光量が大きいほどマージン率が小さくなるよう基準透過光量を算出することを特徴とする請求項１に記載の重送検知装置。
【請求項３】
前記基準値演算部は、減少光量を所定の指数で累乗した値を照射光量から引くことにより、基準透過光量を算出することを特徴とする請求項２に記載の重送検知装置。
【請求項４】
前記基準値演算部は、検知された用紙の透過光量が所定の閾値より大きい場合、第１透過光量が大きいほどマージン率が小さくなる算出方法で基準透過光量を算出することを特徴とする請求項１から３のいずれかに記載の重送検知装置。
【請求項５】
前記基準値演算部は、検知された用紙の透過光量が所定の閾値より小さい場合、マージン率が一定となる算出方法で基準透過光量を算出することを特徴とする請求項３に記載の重送検知装置。
【請求項６】
前記基準値演算部は、検知された用紙の透過光量が所定の閾値より小さい場合、１透過光量が大きいほどマージン率が小さくなる算出方法で算出するよりも基準透過光量が大きな値となる算出方法により、基準透過光量を算出することを特徴とする請求項４または５に記載の重送検知装置。
【発明の詳細な説明】
【技術分野】
【０００１】
本発明は、重送検知装置に関し、特に、光センサを用いて搬送される用紙の重送を検知する重送検知装置に関する。
【背景技術】
【０００２】
光センサを使った重送検知装置が知られている。このような重送検知装置では、用紙が重送したときに用紙を透過する光の透過光量が低下することを利用して重送の発生を検知する。このとき、例えば、最初の１枚目の透過光量に基づいて算出された値を閾値とし、２枚目以降の用紙の透過光量とその閾値とを比較することにより重送を検知するダブルフィード検出方法が提案されている（例えば、特許文献１参照）。
【特許文献１】特開昭５６−８２９８９号公報
【発明の開示】
【発明が解決しようとする課題】
【０００３】
近年、給紙装置において広範な種類の用紙を搬送するニーズが高まっている。しかし、例えば厚みが薄い用紙や、印刷された色が薄い用紙を搬送する場合、用紙の透過光量も大きいため、重送が発生しても透過光量は大きく低下しない。このような用紙に対しても重送の発生を正確に検知するためには、重送の発生の判定基準となる透過光量の基準値を適切に設定する必要がある。
【０００４】
そこで、本発明は上述した課題を解決するためになされたものであり、その目的は、広範な種類の用紙の搬送に対しても正確に重送の発生を検知することにある。
【課題を解決するための手段】
【０００５】
上記課題を解決するために、本発明のある態様の重送検知装置は、搬送される用紙に光を照射して用紙を透過した透過光量を検知する光センサと、重送の発生の判定に用いられる基準透過光量を得るために搬送される用紙において検知された透過光量である第１透過光量に対し値が低くなる方向に基準マージンを設けた基準透過光量を算出する基準値演算部と、検知された用紙の透過光量と算出された基準透過光量とを比較することにより、搬送される用紙に重送が発生したか否かを判定する重送判定部と、を備える。基準値演算部は、第１透過光量が大きいほど、搬送される用紙に照射される光の照射光量から第１透過光量を引いた値である減少光量で基準マージンを割った値であるマージン率が小さくなるよう基準透過光量を算出する。
【０００６】
発明者による鋭意なる研究開発の結果、第１透過光量が大きいほどマージン率が小さくなるよう基準透過光量を算出することにより、例えば厚みが薄い用紙や、印刷された色が薄い用紙を搬送する場合においても、正確に重送を検知することができる場合があることが判明した。したがって、この態様によれば、広範な種類の用紙の搬送に対しても重送の発生を正確に検知することが可能となる。
【０００７】
基準値演算部は、第１透過光量を利用した指数演算または対数演算を実施することにより、第１透過光量が大きいほどマージン率が小さくなるよう基準透過光量を算出してもよい。この態様によれば、指数演算または対数演算を実施することにより、第１透過光量が大きいほどマージン率が小さくなるよう基準透過光量を簡易に算出することができる。なおこの場合、基準値演算部は、減少光量を所定の指数で累乗した値を照射光量から引くことにより、基準透過光量を算出してもよい。
【０００８】
基準値演算部は、検知された用紙の透過光量が所定の閾値より大きい場合、第１透過光量が大きいほどマージン率が小さくなる算出方法で基準透過光量を算出してもよい。
【０００９】
透過光量が大きい薄い用紙などは、普通紙に比べ重送の検知が一般的に難しい。この態様によれば、このように重送の検知が困難な種類の用紙に対して、より正確に基準透過光量を設定することができる。
【００１０】
基準値演算部は、検知された用紙の透過光量が所定の閾値より小さい場合、マージン率が一定となる算出方法で基準透過光量を算出してもよい。
【００１１】
この態様によれば、重送の検知が容易な種類の用紙に対しては、簡易な演算を実施することで基準透過光量を設定することができる。このため、基準透過光量の演算が複雑化することを抑制することができる。
【００１２】
基準値演算部は、検知された用紙の透過光量が所定の閾値より小さい場合、１透過光量が大きいほどマージン率が小さくなる算出方法で算出するよりも基準透過光量が大きな値となる算出方法により、基準透過光量を算出してもよい。
【００１３】
発明者による鋭意なる研究開発の結果、検知された用紙の透過光量が所定の閾値より小さい場合にこのような算出方法を採用して基準透過光量を算出することにより、正確に重送を検知することができることが判明した。したがってこの態様によれば、検知された用紙の透過光量が所定の閾値より小さい場合に用紙の重送の検知精度が低下することを抑制することが可能となる。
【発明の効果】
【００１４】
本発明によれば、広範な種類の用紙の搬送に対しても正確に重送の発生を検知することができる。
【発明を実施するための最良の形態】
【００１５】
以下、図面を参照して本発明の実施の形態（以下、実施形態という）について詳細に説明する。
【００１６】
（第１の実施形態）
図１は、第１の実施形態に係る給紙装置１０を模式的に表した全体構成図である。給紙装置１０は、給紙機構１２、光センサ２２、電子制御部２８、およびコントロールパネル３０を有する。
【００１７】
給紙機構１２は、積載された用紙を収容する用紙収容部において、装置右上部に設けられる。用紙収容部には給紙台（図示せず）が設けられており、この給紙台の上に積載された用紙が載置される。給紙台は昇降可能に構成されている。用紙収容部の上部には用紙高さセンサ（図示せず）が設けられており、積載された用紙の最上位の用紙が所定の高さに位置するよう、給紙台の昇降が制御される。給紙機構１２は、積載された用紙の最上位の用紙よりもわずかに上方に配置される。
【００１８】
給紙機構１２は、エア給紙機構１４および一対の搬送ローラ１６を有する。エア給紙機構１４は、複数の給紙ベルトおよび２本のローラを有する。複数の給紙ベルトの各々は、同一の幅および同一の周の長さを有し、軸方向に均等間隔に並ぶよう２本のローラの外周に装着される。給紙機構１２は、ローラの軸方向が装置前後方向を向き、且つ２本のローラが左右方向に水平に並ぶように配置される。このローラの一方は搬送モータ２０によって駆動される。
【００１９】
エア給紙機構１４には、エア吸引機構も設けられている。エア吸引機構はファンを有し、ファンが作動することによって給紙ベルト下面からエアを吸引するためのエアフローが形成される。このエアフローの流路には蓋部が設けられており、この蓋部は、給紙ソレノイド１８の作動および作動停止に応じてエアフローの流路に設けられた開口部を閉鎖および開放する。
【００２０】
給紙ソレノイド１８が作動したときには、エアフローの流路に設けられた開口部が閉鎖されて給紙ベルトの下面からエアを吸引する強いエアフローが形成され、積載された用紙の最上位の用紙が給紙ベルトの下面に吸着される。給紙ベルトの下面に吸着された用紙は給紙ベルトの駆動に伴い装置右方向へ送り出される。一対の搬送ローラ１６はエア給紙機構１４の用紙搬送方向下流側（以下「下流側」という）に、鉛直方向に並ぶよう配置されている。一対の搬送ローラ１６の一方もまた、搬送モータ２０によって駆動される。エア給紙機構１４によって送り出された用紙は、一対の搬送ローラ１６によって挟持され、さらに装置右方向へと搬送される。
【００２１】
給紙ソレノイド１８の作動が停止したときには、エアフローの流路に設けられた開口部が開放され、給紙ベルトの下面からエアを吸引するエアフローが、用紙が給紙ベルトの下面に吸着できない程度に弱められる。このため、給紙ソレノイド１８の作動が停止したときには、積載された用紙の最上位の用紙の送り出しが停止する。なお、エア給紙機構１４に代えて、ローラ表面の摩擦力によって積載された用紙の最上位の用紙を送り出す、いわゆるフリクション式の給紙機構が採用されてもよい。
【００２２】
エア給紙機構１４と搬送ローラ１６との間には光センサ２２が設けられている。光センサ２２は、発光素子２４および受光素子２６を有する。発光素子２４は、エア給紙機構１４と搬送ローラ１６との間の用紙搬送路の上方に配置され、用紙搬送路に向けて赤外線による光を照射する。受光素子２６は、エア給紙機構１４と搬送ローラ１６との間の用紙搬送路の下方に配置され、発光素子２４によって照射された光を受光し、受光した光の強度に応じた信号を出力する。
【００２３】
給紙ソレノイド１８、搬送モータ２０、および光センサ２２は、電子制御部２８に接続されている。電子制御部２８は、各種演算処理を実行するＣＰＵ、各種制御プログラムを格納するＲＯＭ、データ格納やプログラム実行のためのワークエリアとして利用されるＲＡＭなどを有する。電子制御部２８は、給紙ソレノイド１８への電力の供給および供給停止を切り換えて給紙ソレノイド１８をオン、オフさせることにより、積載された用紙の最上位の用紙の送り出しを制御する。また、電子制御部２８は、給紙機構１２へ駆動信号を供給することで搬送モータ２０の作動を制御し、エア給紙機構１４の給紙ベルト、および一対の搬送ローラ１６の駆動を制御する。なお、このとき電子制御部２８は、搬送モータ２０から回転速度を示すパルス信号を受信する。また、電子制御部２８は、発光素子２４のオン、オフを制御し、さらに受光素子２６から信号を受信し、受信した信号を利用して発光素子２４によって照射される光の照射光量と搬送される用紙の透過光量とを検知する。また、コントロールパネル３０も電子制御部２８に接続されている。
【００２４】
図２は、第１の実施形態に係る給紙装置１０の機能ブロック図である。なお、図２において電子制御部２８は、ＣＰＵ、ＲＯＭ、ＲＡＭなどのハードウェア、およびソフトウェアの連携によって実現される機能ブロックが描かれている。したがって、これらの機能ブロックはハードウェアおよびソフトウェアの組合せによって様々な形で実現することができる。
【００２５】
電子制御部２８は、搬送制御部４０、基準値演算部４２、重送判定部４４、表示制御部４６、および記憶部４８を有する。搬送制御部４０は、給紙ソレノイド１８のオン、オフ、および搬送モータ２０の作動を制御することにより、積載された用紙からの給紙を制御する。基準値演算部４２は、重送の発生の判定に用いられる基準透過光量を算出する。重送判定部４４は、搬送される用紙に、複数の用紙が重なり合って搬送される重送が発生しているか否かを判定する。このように光センサ２２および電子制御部２８は、搬送される用紙に重送が発生したか否かを判定する重送検知装置として機能する。表示制御部４６は、コントロールパネル３０に設けられたディスプレイ３２に情報を表示させる。記憶部４８はハードディスクやフラッシュメモリなど、電源の供給を停止しても記憶内容を保持する記憶装置によって構成される。
【００２６】
図３は、第１の実施形態に係る給紙装置１０における基準透過光量の設定手順を示すフローチャートである。コントロールパネル３０のディスプレイ３２は、入力可能なタッチパネルにより構成されている。ユーザは、ディスプレイ３２に入力操作することにより、プリセットモードを選択することができる。プリセットモードでは重送の検知は行われず、重送の検知に使用される。
【００２７】
プリセットモードが選択された状態でユーザによってスタートボタンが押されると（Ｓ１０）、給紙機構１２は、エア給紙機構１４および搬送ローラ１６を作動させて、積載された用紙から最上位の用紙を送り出す用紙送り出し処理を開始する（Ｓ１２）。光センサ２２は、用紙が送り出される前の光量を検知することにより、まず発光素子２４による照射光量ＬＮＯＴを検知する。次に光センサ２２は、搬送される用紙の透過光量を検知し、基準値演算部４２は、光センサ２２による検知結果を利用して、透過光量サンプリング処理を実施する（Ｓ１４）。
【００２８】
透過光量サンプリング処理では、基準値演算部４２は、まず光センサ２２の検知結果を利用して、例えば受光素子２６が受光した光量が発光素子２４による照射光量から所定の光量低下したか否かを判定することにより、用紙の先端が光センサ２２の検知箇所を通過したか否かを判定する。このため、光センサ２２は搬送される用紙の先端を検知する用紙搬送センサとしても機能する。
【００２９】
用紙の先端が光センサ２２の検知箇所を通過したと判定した場合、基準値演算部４２は、用紙の先端が光センサ２２の検知箇所を通過した後、搬送モータ２０から最初にパルス信号を受信した時点をサンプリング基準時に設定する。次に基準値演算部４２は、サンプリング基準時のパルス信号を１回目のパルス信号としてとして、３回目のパルス信号を受信してから４回目のパルス信号を受信するまでの間において、均等な時間間隔で５回、光センサ２２により検知された用紙の透過光量をサンプル値として取得する。さらに基準値演算部４２は、４回目のパルス信号を受信してから５回目のパルス信号を受信までの間においても、均等な時間間隔で５回、光センサ２２により検知された用紙の透過光量をサンプル値として取得する。
【００３０】
基準値演算部４２は、こうして取得した１０個のサンプル値のうち、最大値と最小値を除いた８個の平均値を平均透過光量ＬＡＶＥとして算出する（Ｓ１６）。基準値演算部４２は、算出した平均透過光量ＬＡＶＥが第１閾値Ｌ１以上か否かを判定する（Ｓ１８）。第１閾値Ｌ１は、透過光量がそれ以上の値となる用紙は、精度の高い基準透過光量を算出する必要がある値として、予め記憶部４８などに格納されているものである。平均透過光量ＬＡＶＥが第１閾値Ｌ１以上の場合（Ｓ１８のＹ）、搬送された用紙が薄いことなどによって精度の高い基準透過光量を設定する必要があることから、基準値演算部４２は、精度の高い基準透過光量を演算するための第１演算処理を実施する（Ｓ２０）。
【００３１】
発明者によって実験による検証が重ねられた結果、搬送される用紙に照射される光の照射光量から平均透過光量ＬＡＶＥを引いた値である減少光量で基準マージンを割った値をマージン率として、平均透過光量ＬＡＶＥが大きいほどマージン率が小さくなるよう基準透過光量ＬＴＨＲを算出することにより、透過光量の大きい薄い用紙においても正確に判定することができることが判明した。具体的には、基準値演算部４２は、第１演算処理において、照射光量をＬＮＯＴとして以下の式で基準透過光量ＬＴＨＲを算出する。
【００３２】
【数１】
2009035365.tif 000003
上記の式は、以下のように変形することができる。
【００３３】
【数２】
2009035365.tif 000004
このように、基準値演算部４２は、照射光量ＬＮＯＴから平均透過光量ＬＡＶＥを引いた値である減少光量を１．１という指数で累乗した値を照射光量ＬＮＯＴから引くことにより基準透過光量ＬＴＨＲを算出する。したがって、平均透過光量ＬＡＶＥが第１閾値Ｌ１以上の場合は、平均透過光量ＬＡＶＥが大きいほどマージン率が小さくなるよう基準透過光量ＬＴＨＲが算出される。
【００３４】
平均透過光量ＬＡＶＥが第１閾値Ｌ１より小さい場合（Ｓ１８のＮ）、搬送された用紙が薄くないなどによって、簡易に基準透過光量を設定しても精度の高い重送検知を実現することが可能と考えられることから、基準値演算部４２は、簡易な演算で基準透過光量を演算することができる第２演算処理を実施する（Ｓ２２）。具体的には、基準値演算部４２は、第２演算処理において、以下の式で基準透過光量ＬＴＨＲを算出する。
【００３５】
【数３】
2009035365.tif 000005
このように、基準値演算部４２は、減少光量に１．５という係数を掛けた値を照射光量ＬＮＯＴから引くことにより基準透過光量ＬＴＨＲを算出する。したがって、平均透過光量ＬＡＶＥが第１閾値Ｌ１より小さい場合は、平均透過光量ＬＡＶＥの値にかかわらずマージン率は一定なるよう基準透過光量ＬＴＨＲが算出される。この１．５という係数は、上記の数式２の演算を実施することにより基準透過光量ＬＴＨＲを算出するよりも、算出される基準透過光量ＬＴＨＲが大きな値となるよう決定されたものである。第１演算処理または第２演算処理を終了し、基準透過光量ＬＴＨＲが算出されると、記憶部４８は、算出された基準透過光量を格納する（Ｓ２４）。
【００３６】
図４は、第１の実施形態に係る給紙装置１０における平均透過光量ＬＡＶＥと基準透過光量ＬＴＨＲとの関係を示す図である。図４に示すように、平均透過光量ＬＡＶＥが第１閾値Ｌ１より小さい範囲では、上述の数式３より、マージン率、すなわち（基準マージン／減少光量）は０．５という一定した値になる。しかし、平均透過光量ＬＡＶＥが第１閾値Ｌ１以上の範囲では、上述の数式２より、（基準マージン／減少光量）の値は徐々に小さいものとなっていく。基準透過光量ＬＴＨＲをこのように算出することにより、薄紙においても重送を正確に検知することが可能となる。
【００３７】
図５は、第１の実施形態に係る給紙装置１０における連続給紙モードでの用紙送り出し手順を示すフローチャートである。ユーザは、ディスプレイ３２に入力操作することにより連続給紙モードを選択することができる。連続給紙モードが選択された状態でユーザによってスタートボタンが押されると（Ｓ３０）、給紙機構１２は、エア給紙機構１４および搬送ローラ１６を作動させて用紙送り出し処理を開始する（Ｓ３２）。光センサ２２は、用紙が送り出される前に発光素子２４による照射光量ＬＮＯＴを検知し、次に、搬送された用紙の透過光量を検知する。基準値演算部４２は、光センサ２２による検知結果を利用して、透過光量サンプリング処理を実施し（Ｓ３４）、平均透過光量ＬＡＶＥを算出する。平均透過光量ＬＡＶＥを算出する手順は、プリセットモードにおける平均透過光量ＬＡＶＥの算出手順と同様である。
【００３８】
平均透過光量ＬＡＶＥが算出されると、重送判定部４４は、平均透過光量ＬＡＶＥが、プリセットモードで予め算出された基準透過光量ＬＴＨＲ以上か否かを判定する（Ｓ３６）。平均透過光量ＬＡＶＥが基準透過光量ＬＴＨＲ以上の場合（Ｓ３６のＹ）、重送判定部４４は、重送は発生していないと判定し、搬送制御部４０は、その用紙の搬送をそのまま継続する。
【００３９】
このとき、搬送制御部４０は、ユーザにより入力された搬送合計枚数から減算され、搬送すべき残りの用紙の枚数を示すカウンタの値がゼロか否かを判定することにより、重送が発生していないと判定された用紙が搬送すべき最後の用紙か否かを判定する（Ｓ３８）。最後の用紙でない場合（Ｓ３８のＮ）、搬送制御部４０は、カウンタの値を１減算し、次の用紙を送り出すためＳ３２の処理に戻る。最後の用紙の場合（Ｓ３８のＹ）、搬送制御部４０は次の用紙の送り出しをすることなく給紙機構１２の作動を停止させ、本フローチャートにおける処理を終了する。
【００４０】
平均透過光量ＬＡＶＥが基準透過光量ＬＴＨＲより小さい場合（Ｓ３６のＮ）、重送判定部４４は重送が発生したと判定し、搬送制御部４０は、搬送モータ２０の作動を停止させてその用紙の送り出しを停止する（Ｓ４０）。また、表示制御部４６は、警告メッセージをディスプレイ３２に表示して重送が発生したことをユーザに報知する（Ｓ４２）。このとき表示制御部４６は、重送した用紙の除去方法を図解して示すガイド画面をディスプレイ３２に表示してもよい。警告メッセージがディスプレイ３２に表示されると、本フローチャートにおける処理は一旦終了する。重送した用紙がユーザによって除去され、再びスタートボタンが押された場合、搬送すべき残りの枚数について、Ｓ３０から処理を再開する。
【００４１】
（第２の実施形態）
図６は、第２の実施形態に係る給紙装置１０における平均透過光量ＬＡＶＥと基準透過光量ＬＴＨＲとの関係を示す図である。第２の実施形態では、基準値演算部４２は、平均透過光量ＬＡＶＥが第１閾値Ｌ１より小さい場合、第２演算処理において、上述の数式３により基準透過光量ＬＴＨＲを算出する。一方、平均透過光量ＬＡＶＥが第１閾値Ｌ１以上の場合、基準値演算部４２は、第１演算処理において、照射光量をＬＮＯＴとして以下の式で基準透過光量ＬＴＨＲを算出する。
【００４２】
【数４】
2009035365.tif 000006
このように、第２の実施形態では、平均透過光量ＬＡＶＥが第１閾値Ｌ１より小さい範囲では、マージン率は０．５になり、平均透過光量ＬＡＶＥが第１閾値Ｌ１以上の範囲では、マージン率は０．３となる。このように平均透過光量ＬＡＶＥが大きい範囲では、平均透過光量ＬＡＶＥが小さい範囲よりも小さいマージン率を採用することにより、薄紙においても正確に重送を検知することが可能となる。
【００４３】
本発明は上述の各実施形態に限定されるものではなく、各実施形態の各要素を適宜組み合わせたものも、本発明の実施形態として有効である。また、当業者の知識に基づいて各種の設計変更等の変形を各実施形態に対して加えることも可能であり、そのような変形が加えられた実施形態も本発明の範囲に含まれうる。以下、そうした例をあげる。
【００４４】
ある変形例では、複数枚の用紙から成る用紙束の各々の用紙について、基準透過光量ＬＴＨＲを取得する。具体的には、プリセットモードが選択され、用紙束の枚数が入力された後、ユーザによってスタートボタンが押されると、給紙機構１２は、積載された用紙から入力された枚数の用紙を順次送り出す。基準値演算部４２は、送り出された複数の用紙の各々についてＳ１４〜Ｓ２４の処理を実施し、記憶部４８は、複数の用紙の各々について、送り出し順と基準透過光量ＬＴＨＲとを対応付けて格納する。
【００４５】
次に、連続給紙モードでスタートボタンが押されると、重送判定部４４は、算出した平均透過光量ＬＡＶＥが、その用紙が送り出された順に対応付けられた基準透過光量ＬＴＨＲ以上か否かを判定することにより、重送が発生したか否かを判定する。用紙束を構成する枚数分の搬送が終了すると、重送判定部４４は、次に送り出される用紙の送り出し順を１にリセットし、算出した平均透過光量ＬＡＶＥが、その用紙が送り出された順に対応付けられた基準透過光量ＬＴＨＲ以上か否かを判定して重送の発生を判定する工程をさらに繰り返す。こうして重送判定部４４は、ユーザに入力された用紙束のセット数の搬送が終了するまで上述の処理を繰り返す。これにより、例えば異なる画像が記録された用紙が重なり合って構成された用紙束についても、重送を正確に検出することが可能となる。
【００４６】
また別の変形例では、プリセットモードでユーザによってスタートボタンが押された場合、基準値演算部４２は、Ｓ１４の透過光量サンプリング処理において、１枚の用紙につき、用紙搬送方向の複数の領域の各々について基準透過光量ＬＴＨＲを取得し、記憶部４８に格納する。連続給紙モードでユーザによってスタートボタンが押された場合、重送判定部４４は、プリセットモードにおいて取得した複数の基準透過光量ＬＴＨＲの各々に対応する箇所の平均透過光量ＬＡＶＥを算出する。
【００４７】
このとき、基準値演算部４２は、例えば、７回目のパルス信号を受信するタイミングと８回目のパルス信号を受信するタイミングとの間において、均等な時間間隔で５回、光センサ２２により検知された用紙の透過光量をサンプル値として取得する。さらに基準値演算部４２は、８回目のパルス信号を受信するタイミングと９回目のパルス信号を受信するタイミングとの間においても、均等な時間間隔で５回、光センサ２２により検知された用紙の透過光量をサンプル値として取得する。基準値演算部４２は、こうして取得した１０個のサンプル値のうち、最大値と最小値を除いた８個の平均値を平均透過光量ＬＡＶＥとして算出する。基準値演算部４２は、算出した平均透過光量ＬＡＶＥに対して、Ｓ１８〜Ｓ２２の処理を実施して基準透過光量ＬＴＨＲを算出する。
【００４８】
以下、基準値演算部４２は、１１回目と１２回目、１２回目と１３回目のパルス信号の間に各々５回ずつ用紙の透過光量をサンプル値として取得する、といったように、ｎを自然数として（４ｎ−１）回目のパルス信号と（４ｎ＋１）回目のパルス信号との間に１０回サンプル値を取得して基準透過光量ＬＴＨＲを算出する。
【００４９】
重送判定部４４は、算出した複数の平均透過光量ＬＡＶＥのすべてが、対応する基準透過光量ＬＴＨＲ未満である場合に重送が発生したと判定する。なお、例えば、算出した複数の平均透過光量ＬＡＶＥのうち所定数（例えば、算出した平均透過光量ＬＡＶＥの数から１を引いた数など）の平均透過光量ＬＡＶＥが、対応する基準透過光量ＬＴＨＲ未満である場合、重送が発生したと判定してもよい。これによって、搬送される用紙に色の濃い部分や薄い部分などがある画像が形成されていた場合においても、重送の発生を正確に検知することが可能となる。
【００５０】
ある別の変形例では、基準値演算部４２は、ランベルトベールの法則を利用して、基準透過光量ＬＴＨＲを算出する。具体的には、基準値演算部４２は、例えば、プリセットモードにおいて取得した平均透過光量ＬＡＶＥを利用して、「−ｌｏｇ（平均透過光量ＬＡＶＥ／照射光量ＬＮＯＴ）」を算出し、この値を利用して用紙の仮想的な厚さの閾値を算出する。重送判定部４４は、連続給紙モードにおいて取得した平均透過光量ＬＡＶＥを利用して、「−ｌｏｇ（平均透過光量ＬＡＶＥ／照射光量ＬＮＯＴ）」を算出し、この値を利用して用紙の仮想的な厚さを算出する。重送判定部４４は、算出した用紙の仮想的な厚さが、プリセットモードにおいて算出された仮想的な厚さの閾値を超えるか否かを判定することにより、重送が発生したか否かを判定する。ランベルトベールの法則は既知の法則であるため、説明を省略する。このような態様によっても、基準透過光量ＬＴＨＲを正確に算出することができ、重送の発生を精度良く検知することが可能となる。
【００５１】
ある別の変形例では、基準値演算部４２は、数式２における指数を、照射光量ＬＮＯＴの強度に応じた値とする。具体的には、基準値演算部４２は、照射光量ＬＮＯＴが小さい場合、照射光量ＬＮＯＴが大きい場合よりも数式２における指数を大きな値とする。さらに、基準値演算部４２は、数式３における係数を、照射光量ＬＮＯＴの強度に応じた値とする。具体的には、基準値演算部４２は、照射光量ＬＮＯＴが小さい場合、照射光量ＬＮＯＴが大きい場合よりも数式３における係数を大きな値とする。これによって、平均透過光量ＬＡＶＥと基準透過光量ＬＴＨＲとの間に適度なマージンを確保することが可能となる。また、発光素子２４の劣化による照射光量ＬＮＯＴの経時変化に応じて数式２における指数、または数式３における係数を適度に変化させることが可能となる。
【図面の簡単な説明】
【００５２】
【図１】第１の実施形態に係る給紙装置を模式的に表した全体構成図である。
【図２】第１の実施形態に係る給紙装置の機能ブロック図である。
【図３】第１の実施形態に係る給紙装置における基準透過光量の設定手順を示すフローチャートである。
【図４】第１の実施形態に係る給紙装置における平均透過光量ＬＡＶＥと基準透過光量ＬＴＨＲとの関係を示す図である。
【図５】第１の実施形態に係る給紙装置における連続給紙モードでの用紙送り出し手順を示すフローチャートである。
【図６】第２の実施形態に係る給紙装置における平均透過光量ＬＡＶＥと基準透過光量ＬＴＨＲとの関係を示す図である。
【符号の説明】
【００５３】
１０  給紙装置、  １２  給紙機構、  １４  エア給紙機構、  １６  搬送ローラ、  １８  給紙ソレノイド、  ２０  搬送モータ、  ２２  光センサ、  ２４  発光素子、  ２６  受光素子、  ２８  電子制御部、  ３０  コントロールパネル、  ３２  ディスプレイ、  ４０  搬送制御部、  ４２  基準値演算部、  ４４  重送判定部、  ４６  表示制御部、  ４８  記憶部。  
【図１】
2009035365.tif 000007
【図２】
2009035365.tif 000008
【図３】
2009035365.tif 000009
【図４】
2009035365.tif 000010
【図５】
2009035365.tif 000011
【図６】
2009035365.tif 000012